(57)【要約】【課題】  梱包材のサイズを縮小して、より多くの台数を輸送できるプリンタ装置を提供する。【解決手段】  プリンタ装置１では、プリンタ本体３と用紙１０をサポートするペーパーサポート５と用紙１０を挟み込んで所定の位置にガイドするための１対のエッジガイド６とを備えている。１対のエッジガイド６のうち、一方のエッジガイド６ａはペーパーサポート５に固定されている。他方のエッジガイド６ｂは、用紙のサイズに応じてスライド可能とされる。プリンタ本体３にはアクセスカバー４が開閉自在に取付けられている。そのアクセスカバー４の端部に沿って、エッジガイド６ａを受入れる切欠き部４ａが形成されている。【選択図】        図１
2006187896.tif 000002
【特許請求の範囲】
【請求項１】
用紙に印刷を行なうプリンタ本体と、
前記プリンタ本体に回動可能に装着され、前記プリンタ本体に供給する用紙をサポートする平板部を含むペーパーサポートと、
前記ペーパーサポートにサポートされる用紙を挟み込んでガイドするための１対のエッジガイドと、
前記プリンタ本体に開閉自在に設けられたメンテナンスのためのアクセスカバーと
を備え、
前記ペーパーサポートには、前記平板部に前記１対のエッジガイドのうちの一方のエッジガイドが固定され、
前記アクセスカバーの端部には、前記ペーパーサポートが前記プリンタ本体の側に倒されて閉じられた状態で、前記一方のエッジガイドを受入れる切欠き部が形成された、プリンタ装置。
【請求項２】
用紙に印刷を行なうプリンタ本体と、
前記プリンタ本体に回動可能に装着され、前記プリンタ本体に供給する用紙をサポートするペーパーサポートと、
前記ペーパーサポートにサポートされる用紙を挟み込んでガイドするための１対のエッジガイドと
を備え、
前記プリンタ本体には、前記ペーパーサポートが前記プリンタ本体の側に倒されて閉じられた状態で、前記一方のエッジガイドのうちの少なくとも一方のエッジガイドを受入れる受入部が形成された、プリンタ装置。
【請求項３】
前記１対のエッジガイドのうち、前記一方のエッジガイドは前記ペーパーサポートに固定され、他方のエッジガイドはスライド可能とされた、請求項２記載のプリンタ装置。
【請求項４】
前記１対のエッジガイドは双方のエッジガイドともスライド可能とされ、
前記一方のエッジガイドは、双方のエッジガイドが最も開いた状態で前記受入部に受入れられる、請求項２記載のプリンタ装置。
【請求項５】
互いに対向するように前記プリンタ本体に設けられた１対の軸受部と、
前記ペーパーサポートに設けられ、前記１対の軸受部に軸支される１対の回動軸部と
を備え、
前記１対の回動軸部は、前記１対の軸受部に対して互いに対向する側および互いに対向する側とは反対の側のいずれかの側に軸支された、請求項２〜４のいずれかに記載のプリンタ装置。
【発明の詳細な説明】
【技術分野】
【０００１】
本発明はプリンタ装置に関し、特に、エッジガイドが形成されたペーパーサポートを備えたプリンタ装置に関するものである。
【背景技術】
【０００２】
プリンタ装置の一つに、印刷の際に用紙をサポートするペーパーサポートが取付けられる態様のプリンタ装置がある。そのようなペーパーサポートを備えたプリンタ装置について説明する。図９に示すように、この種のプリンタ装置１０１は、用紙１１０に印刷をするプリンタ本体１０３とその用紙１１０をサポートするペーパーサポート１０５とを備えている。そして、このペーパーサポート１０５には、用紙１１０のサイズに応じて用紙を挟み込んで位置合わせをするための１対のエッジガイド１０６が設けられている。この１対のエッジガイド１０６の場合、一方がペーパーサポート１０５に立設するように固定されたエッジガイド１０６ａとされ、他方が用紙１１０のサイズに合わせて左右にスライド可能なエッジガイド１０６ｂとされる。
【０００３】
プリンタ装置１０１で印刷を行なう際には、まず、プリンタ本体１０３に対してペーパーサポート１０５が所定の角度で開かれた状態とされ、そのペーパーサポート１０５に対して、用紙１１０の一端側が固定されたエッジガイド１０６ａに当接するように用紙１１０が載置される。次に、エッジガイド１０６ｂをスライドさせて用紙１１０の他端側に当接させる。このようにして、１対のエッジガイド１０６によって用紙１１０が所定の位置において左右から挟み込まれる。ペーパーサポート１０５に載置された用紙は、プリンタ本体１０３の印刷動作に合わせてプリンタ本体１０３に供給されることになる。なお、ペーパーサポートを備えたプリンタ装置の他の例として特許文献１がある。
【特許文献１】特開平１０−２１２０５６号公報
【発明の開示】
【発明が解決しようとする課題】
【０００４】
しかしながら、従来のプリンタ装置１０１では次のような問題点があった。プリンタ装置１０１を輸送する際にはプリンタ装置１０１のペーパーサポート１０５は閉じられた状態で輸送される。そのペーパーサポート１０５では、１対のエッジガイド１０６のうちの一方のエッジガイド１０６ａが立設されているため、ペーパーサポート１０５を閉じた状態では、図１０に示すように、エッジガイド１０６の上端部がプリンタ本体１０３に当接し、エッジガイド１０６の高さ分プリンタ装置１０１の高さが高くなってしまう。そのため、プリンタ装置１０１を梱包する際に、よりサイズ（容積）の大きい梱包材を用いてプリンタ装置１０１を梱包しなければならず、１度に輸送できるプリンタ装置１０１の台数が制約されることがあった。
【０００５】
また、ペーパーサポート１０５とプリンタ本体１０３との間に隙間があるため、輸送の際に梱包材中にこもる熱によってペーパーサポート１０５が変形することがあり、これを防止するため、たとえば図１１に示すように、隙間にスペーサ部材１０７を介在させておく措置が取られた。さらに、ペーパーサポート１０５に衝撃が加わると、ペーパーサポート１０５がプリンタ本体１０３から外れてしまったり、あるいは、ペーパーサポート１０３が破損することがあり、これらを防止するためにも、隙間にスペーサ部材１０７を介在させておく必要があった。
【０００６】
また、特許文献１で提案されているプリンタ装置では、ペーパーサポートが閉じられた状態でも、プリンタ本体とペーパーサポートの平板部との間に隙間があるため、輸送の際の熱や衝撃によってペーパーサポートが変形したり、破損することがあった。
【０００７】
本発明は、上記問題点を解決するためになされたものであり、その目的は、梱包材のサイズを縮小して、より多くの台数を輸送できるプリンタ装置を提供することである。
【課題を解決するための手段】
【０００８】
本発明に係るプリンタ装置は、用紙に印刷を行なうプリンタ本体とペーパーサポートと１対のエッジガイドとアクセスカバーとを備えている。ペーパーサポートはプリンタ本体に回動可能に装着され、プリンタ本体に供給する用紙をサポートし平板部を含んでいる。１対のエッジガイドはペーパーサポートにサポートされる用紙を挟み込んでガイドする。アクセスカバーはプリンタ本体にメンテナンスのために開閉自在に設けられている。ペーパーサポートには、平板部に１対のエッジガイドのうちの一方のエッジガイドが固定されている。アクセスカバーの端部には、ペーパーサポートがプリンタ本体の側に倒されて閉じられた状態で、一方のエッジガイドを受入れる切欠き部が形成されている。
【０００９】
この構成によれば、アクセスカバーの端部に、ペーパーサポートが閉じられた状態でペーパーサポートに固定されたエッジガイドを受入れる切欠き部が形成されていることで、ペーパーサポートが閉じられた状態においては、ペーパーサポートとプリンタ本体との間の隙間をより狭くすることができる。これにより、従来のプリンタ装置と比べると、プリンタ装置を梱包する梱包材として、より小さいサイズの梱包材を用いることができて、より多くの台数のプリンタ装置を輸送することができる。
【００１０】
本発明に係る他のプリンタ装置は、用紙に印刷を行なうプリンタ本体とペーパーサポートと１対のエッジガイドとを備えている。ペーパーサポートはプリンタ本体に回動可能に装着され、プリンタ本体に供給する用紙をサポートする。１対のエッジガイドはペーパーサポートにサポートされる用紙を挟み込んでガイドする。プリンタ本体には、ペーパーサポートがプリンタ本体の側に倒されて閉じられた状態で、一方のエッジガイドのうちの少なくとも一方のエッジガイドを受入れる受入部が形成されている。
【００１１】
この構成によれば、プリンタ本体に、ペーパーサポートが閉じられた状態で１対のエッジガイドのうちの少なくとも一方のエッジガイドを受入れる受入部が形成されていることで、ペーパーサポートが閉じられた状態においては、ペーパーサポートとプリンタ本体との間の隙間をより狭くすることができる。これにより、従来のプリンタ装置と比べると、プリンタ装置を梱包する梱包材として、より小さいサイズの梱包材を用いることができて、より多くの台数のプリンタ装置を輸送することができる。
【００１２】
１対のエッジガイドの態様として、１対のエッジガイドのうち、一方のエッジガイドはペーパーサポートに固定され、他方のエッジガイドはスライド可能とされたものや、双方のエッジガイドともスライド可能とされたものが好ましい。双方ともスライド可能とされたものでは、一方のエッジガイドは、双方のエッジガイドが最も開いた状態で受入部に受入れられることが好ましい。
【００１３】
また、ペーパーサポートの変形に対してペーパーサポートがプリンタ本体から外れないようにするために、互いに対向するようにプリンタ本体に設けられた１対の軸受部と、ペーパーサポートに設けられ、１対の軸受部に軸支される１対の回動軸部とを備えて、１対の回動軸部は、１対の軸受部に対して互いに対向する側および互いに対向する側とは反対の側のいずれかの側に軸支されていることが好ましい。
【発明を実施するための最良の形態】
【００１４】
本発明の実施の形態に係るプリンタ装置について説明する。図１に示すように、プリンタ装置１では、プリンタ本体３と、そのプリンタ本体３に用紙１０を供給する際に用紙１０をサポートするペーパーサポート５とを備えている。また、サポートされた用紙１０を挟み込んで所定の位置にガイドするための１対のエッジガイド６が設けられている。１対のエッジガイド１０６のうち、一方のエッジガイド６ａはペーパーサポート５に固定されている。他方のエッジガイド６ｂは、用紙のサイズに応じてスライド可能とされる。
【００１５】
また、インクカートリッジ（図示せず）の交換や用紙１０が詰まった場合などのメンテナンスのために、プリンタ本体３にはアクセスカバー４が開閉自在に取付けられている。そのアクセスカバー４の端部に沿って、エッジガイド６ａを受入れる切欠き部４ａが形成されている。その切欠き部４ａとペーパーサポート５の構造についてさらに詳しく説明する。図２に示すように、プリンタ本体３には１対の軸受部７が設けられ、この軸受部７に、ペーパーサポート５に設けられた１対の回動軸部２が矢印に示す方向に回動可能に軸支されている。特に、このプリンタ装置１では、１対の回動軸部２は、１対の軸受部７に対して互いに対向する側に軸支されている。
【００１６】
プリンタ装置を使用する際には、図１および図２に示すように、ペーパーサポート５がプリンタ本体３に対して所定の角度をもって立てられた状態とされる。そして、そのペーパーサポート５に対して用紙１０が載置され、１対のエッジガイド６によって所定の位置に挟み込まれて、プリンタ本体３に供給されることになる。一方、ペーパーサポート５がプリンタ本体３の側に倒されて閉じられた状態では、図３に示すように、ペーパーサポート５に固定されたエッジガイド６ａは切欠き部４ａに受入れられることになる。
【００１７】
上述したプリンタ装置１では、アクセスカバー４の端部に沿って、ペーパーサポート５が閉じられた状態でペーパーサポート５に固定されたエッジガイド６ａを受入れる切欠き部４ａが形成されている。そのため、図４に示すように、ペーパーサポート５が閉じられた状態においては、ペーパーサポート５とプリンタ本体３との間の隙間はより狭くなる。これにより、従来のプリンタ装置と比べるとプリンタ装置１の高さが低くなり、プリンタ装置１を梱包する梱包材として、より小さいサイズ（容積）の梱包材を用いることができて、輸送の際に１つのコンテナに収容されるプリンタ装置の台数を増やすことができる。その結果、プリンタ装置１台あたりの輸送コストの低減を図ることができる。
【００１８】
また、ペーパーサポート５とプリンタ本体３との間の隙間が狭められることで、輸送の際に梱包材中にこもる熱によってペーパーサポート５が変形するのを防止することができる。さらに、従来のプリンタ装置のように、プリンタ本体３とペーパーサポート５との間にスペーサ部材を介在させる必要もなくなる。
【００１９】
また、ペーパーサポート５の１対の回動軸部２が、１対の軸受部７に対して互いに対向する側に軸支される態様では、図５に示すように、ペーパーサポート５の点線２１に示す凸状の変形に対しては、ペーパーサポート５の１対の回動軸部２は矢印２２に示すように軸受部７から外れるように変形することになる。このとき、ペーパーサポート５に固定されたエッジガイド６ａが切欠き部４ａに受入れられていることで、そのようなペーパーサポート５の変形が抑制される。その結果、ペーパーサポート５がプリンタ本体３から外れるのを防止することができる。
【００２０】
なお、上述したプリンタ装置では、アクセスカバー４に切欠き部４ａを設けた構造を例に挙げて説明したが、エッジガイド６ａを受入れることができれば、切欠き部に限られず、プリンタ本体３の所定の位置に凹部のような受入部を形成するようにしてもよい。
【００２１】
また、上述したプリンタ装置では、ペーパーサポート５の１対の回動軸部２が１対の軸受部７に対して互いに対向する側に軸支される態様のものを例に挙げて説明したが、ペーパーサポート５の１対の回動軸部２が１対の軸受部７に対して互いに対向する側とは反対の側に軸支される態様のプリンタ装置であってもよい。
【００２２】
この場合には、図６に示すように、ペーパーサポート５の点線２３に示す凹状の変形に対しては、ペーパーサポート５の１対の回動軸部２は矢印２４に示すように軸受部７から外れるように変形することになる。このとき、ペーパーサポート５に固定されたエッジガイド６ａが切欠き部４ａに受入れられて、ペーパーサポート５とプリンタ本体３との間には隙間がほとんどないので、そのようなペーパーサポート５の変形が抑制される。その結果、ペーパーサポート５がプリンタ本体３から外れるのを防止することができる。
【００２３】
また、上述したプリンタ装置１では、１対のエッジガイド６として、一方がペーパーサポート５に固定されたエッジガイド６ａであり、他方がスライド可能なエッジガイド６ｂである場合を例に挙げて説明したが、図７に示すように、１対のエッジガイド６の双方が矢印２５に示すようにスライド可能なエッジガイド６ａ，６ｂであってもよい。この場合には、プリンタ本体３に設けられる、エッジガイド６ａ，６ｂを受入れる切欠き部あるいは凹部は、エッジガイド６ａ，６ｂのホームポジションに対応する位置、つまり、図８に示すように、１対のエッジガイド６ａ，６ｂが最も開いた状態に対応する位置に設けられていることが望ましい。さらに、上述したプリンタ装置では、１対のガイドエッジ６のうちの一方のガイドエッジ６ａを受入れる受入部を設ける場合について説明したが、双方のエッジガイド６ａ，６ｂを受入れる受入部をプリンタ本体３に形成してもよい。
【００２４】
なお、今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００２５】
【図１】本発明の実施の形態に係るプリンタ装置の斜視図である。
【図２】同実施の形態において、図１に示すプリンタ装置における切欠き部とペーパーサポートの取付け部分を示す部分拡大斜視図である。
【図３】同実施の形態において、ペーパーサポートを閉じた状態を示す斜視図である。
【図４】同実施の形態において、ペーパーサポートを閉じた状態を示す側面図である。
【図５】同実施の形態において、ペーパーサポートを閉じた状態における作用効果を説明するための断面図である。
【図６】同実施の形態において、一変形例に係るプリンタ装置のペーパーサポートを閉じた状態における作用効果を説明するための断面図である。
【図７】同実施の形態において、他の変形例に係るプリンタ装置のペーパーサポート部分を示す部分拡大正面図である。
【図８】同実施の形態において、他の変形例に係るプリンタ装置のエッジガイドのホームポジションを示す部分拡大正面図である。
【図９】従来のプリンタ装置の斜視図である。
【図１０】従来のプリンタ装置において、ペーパーサポートを閉じた状態を示す側面図である。
【図１１】従来のプリンタ装置において、ペーパーサポートを閉じた状態を示す斜視図である。
【符号の説明】
【００２６】
１  プリンタ装置、２  軸受部、３  プリンタ本体、４  アクセスカバー、４ａ  切欠き部、５  ペーパーサポート、６  １対のエッジガイド、６ａ，６ｂ  エッジガイド、７  回動軸部、１０  用紙。
【図１】
2006187896.tif 000003
【図２】
2006187896.tif 000004
【図３】
2006187896.tif 000005
【図４】
2006187896.tif 000006
【図５】
2006187896.tif 000007
【図６】
2006187896.tif 000008
【図７】
2006187896.tif 000009
【図８】
2006187896.tif 000010
【図９】
2006187896.tif 000011
【図１０】
2006187896.tif 000012
【図１１】
2006187896.tif 000013